(57)【要約】【課題】  特に消費者が自ら作製できる、頭部が揺動可能な人型おもちゃの骨組みを提供する。【解決手段】  頭部（１０）と、胴体部（２０）と、腕部（３０A）及び足部（３０B）と、スプリング（４０）と、ワイヤ（５０）と、底座（６１）とを有し、胴体部（２０）は、胸部（２１）及び腹部（２２）を有し、胸部（２１）の上部に組立てロッド（２４）が延設され、組立てロッド（２４）にリング部材（２３）が環装され、腕部（３０A）は、上腕部（３４）と、肘部（３５）と、手掌部（３６）とを有すると共に、足部（３０B）は、大腿部（３１）と、小腿部（３２）と、足掌部（３３）とを有し、それら腕部（３０A）と足部（３０B）は、足掌部（３３）と上腕部（３４）とを切断することにより分離させ、底座（６１）の断面はコ字形を呈し、その上面にマトリクス状に貫通孔（６０）が形成されることを特徴とする。【選択図】  図６
0003126447.tif 000002
【実用新案登録請求の範囲】
【請求項１】
目、鼻、口、耳を備える中空の頭部（１０）と、中空の胴体部（２０）と、中空の腕部（３０A）及び足部（３０B）と、スプリング（４０）と、可撓性を有する複数のワイヤ（５０）と、底座（６１）とを有し、
前記胴体部（２０）は、胸部（２１）及び腹部（２２）を有し、該胸部（２１）の上部に組立てロッド（２４）が延設され、該組立てロッド（２４）上にリング部材（２３）が環装され、
前記腕部（３０A）は、上腕部（３４）と、肘部（３５）と、手掌部（３６）とを有すると共に、前記足部（３０B）は、該腕部（３０A）の各部材とロッド状に一体に成形された大腿部（３１）と、小腿部（３２）と、足掌部（３３）とを有し、それら腕部（３０A）と足部（３０B）は、足掌部（３３）と上腕部（３４）とを切断することにより分離させ、
前記底座（６１）の断面はコ字形を呈し、その上面にマトリクス状に貫通孔（６０）が形成されることを特徴とする人型おもちゃの骨組み。
【請求項２】
前記底座（６１）の内側中央に固定ロッド（６２）が設けられることを特徴とする請求項１に記載の人型おもちゃの骨組み。
【請求項３】
前記頭部（１０）、胴体部（２０）、腕部（３０A）及び足部（３０B）はそれぞれ挿設方式による接合であることを特徴とする請求項１又は２に記載の人型おもちゃの骨組み。
【考案の詳細な説明】
【技術分野】
【０００１】
本考案は、特に消費者が自ら作製できる、頭部が揺動可能な人型おもちゃの骨組みに関するものである。
【背景技術】
【０００２】
近年、可愛らしい人型おもちゃが人気を博している。このような人型おもちゃは一般に人体比例に基づいて作製されるものではないので、若者に人気のある、頭部が大きく体の小さな人型おもちゃが多く作製されている。
【考案の開示】
【考案が解決しようとする課題】
【０００３】
しかしながら、従来の人型おもちゃは、その殆どが既に工場で完成品として製造されたものであり、消費者自ら骨組みを用いて作製するものがなかったため、今まで消費者は物を作製する楽しさを味わうことができなかった。また、一部の、既存の骨組みを有する人型おもちゃは、消費者自ら作製することはできるが、作製時に釘やねじなどの固定部材により、人型おもちゃを活動不能に底板上に固定してしまうので、直立状態で展示するしかなかった。更に、前記釘やねじなどの固定部材により人型おもちゃを底板上へ固定する時は、複数の工具を使用しなければならないので、作業上、非常に不便であった。その上、従来の人型おもちゃの頭部は、全く動かすことができないので、娯楽性、遊戯性、芸術性などを十分に発揮させることができなかった。
【課題を解決するための手段】
【０００４】
本考案の請求項１は、目、鼻、口、耳を備える中空の頭部（１０）と、中空の胴体部（２０）と、中空の腕部（３０A）及び足部（３０B）と、スプリング（４０）と、可撓性を有する複数のワイヤ（５０）と、底座（６１）とを有し、
前記胴体部（２０）は、胸部（２１）及び腹部（２２）を有し、該胸部（２１）の上部に組立てロッド（２４）が延設され、該組立てロッド（２４）上にリング部材（２３）が環装され、
前記腕部（３０A）は、上腕部（３４）と、肘部（３５）と、手掌部（３６）とを有すると共に、前記足部（３０B）は、該腕部（３０A）の各部材とロッド状に一体に成形された大腿部（３１）と、小腿部（３２）と、足掌部（３３）とを有し、それら腕部（３０A）と足部（３０B）は、足掌部（３３）と上腕部（３４）とを切断することにより分離させ、  前記底座（６１）の断面はコ字形を呈し、その上面にマトリクス状に貫通孔（６０）が形成されることを特徴とする人型おもちゃの骨組みを提供するものであり、
本考案の請求項２は、前記底座（６１）の内側中央に固定ロッド（６２）が設けられることを特徴とする請求項１に記載の人型おもちゃの骨組みを提供するものであり、
本考案の請求項３は、前記頭部（１０）、胴体部（２０）、腕部（３０A）及び足部（３０B）はそれぞれ挿設方式による接合であることを特徴とする請求項１又は２に記載の人型おもちゃの骨組みを提供するものである。
【考案の効果】
【０００５】
本考案は上記の課題を解決するものであり、目、鼻、口、耳を備える中空の頭部と、中空の胴体部と、中空の腕部及び足部と、スプリングと、可撓性を有する複数のワイヤと、底座とを有し、
前記胴体部は、胸部及び腹部を有し、該胸部の上部に組立てロッドが延設され、該組立てロッド上にリング部材が環装され、
前記腕部は、上腕部と、肘部と、手掌部とを有すると共に、前記足部は、該腕部の各部材とロッド状に一体に成形された大腿部と、小腿部と、足掌部とを有し、それら腕部と足部は、足掌部と上腕部とを切断することにより分離させ、
前記底座の断面はコ字形を呈し、その上面にマトリクス状に貫通孔が形成される構成であることから、消費者自らワイヤに胴体部、腕部である上腕部、肘部、手掌部、更に足部である大腿部、小腿部、足掌部を嵌め込み、思い通りに変形させることができ、また、頭部は、スプリングと組立てロッドにより連結されるので、活動可能な状態で取り付けることができる。
【考案を実施するための最良の形態】
【０００６】
以下、添付図面を参照して本考案の好適な実施の形態を詳細に説明する。
【実施例】
【０００７】
図１Aは本考案に係る人型おもちゃの骨組みにおける頭部の正面図であり、図１Bは本考案に係る人型おもちゃの骨組みにおける頭部の側面図であり、図１Cは本考案に係る人型おもちゃの骨組みのスプリングの正面図であり、図２Aは本考案に係る人型おもちゃの骨組みにおける胴体部の正面図であり、図２Bは本考案に係る人型おもちゃの骨組みにおける胴体部の側面図であり、図３Aは本考案に係る人型おもちゃの骨組みにおける腕部及び足部の正面図であり、図３Bは本考案に係る人型おもちゃの骨組みにおける腕部及び足部の側面図であり、図４は本考案に係る人型おもちゃの骨組みにおける胴体部にワイヤを貫設させた状態を示す斜視図であり、図５は本考案に係る人型おもちゃの骨組みにおける胴体部にワイヤを貫設させ、該ワイヤに腕部及び足部を取り付けた状態を示す分解斜視図であり、図６は本考案に係る人型おもちゃの骨組みにおける胴体部にワイヤを貫設させ、該ワイヤに腕部及び足部を取り付け、更にスプリング及び頭部を示した分解斜視図であり、図７は本考案に係る人型おもちゃの骨組みにおける胴体部にワイヤを貫設させ、該ワイヤに腕部及び足部を取り付け、更にスプリング及び頭部を示取り付けた状態を示す斜視図であり、図８は本考案に係る人型おもちゃの骨組みを底座上に取り付けた状態を示す正面断面図であり、図９は本考案に係る人型おもちゃの骨組みを底座上に取り付けた状態を示す斜視図であり、図１０は本考案に係る人型おもちゃの骨組みの使用状態を示す斜視図であり、図１１は本考案に係る人型おもちゃの骨組みを異なる体勢で底座上に取り付けた状態を示す斜視図であり、図１２は本考案に係る人型おもちゃの骨組みの他の使用状態を示す斜視図である。
【０００８】
図１A乃至図３B、及び図８に示すように、本考案の人型おもちゃの骨組みは、目、鼻、口、耳を備える中空の頭部（１０）と、中空の胴体部（２０）と、中空の腕部（３０A）及び足部（３０B）と、スプリング（４０）と、可撓性を有する複数のワイヤ（５０）と、底座（６１）とを有し、
前記胴体部（２０）は、胸部（２１）及び腹部（２２）を有し、該胸部（２１）の上部に組立てロッド（２４）が延設され、該組立てロッド（２４）上にリング部材（２３）が環装されると共に、胴体部（２０）における胸部（２１）の両側上部及び腹部（２２）の両側下部にそれぞれワイヤ（５０）を貫設させるための貫通孔（６０）が形成される。
【０００９】
前記腕部（３０A）は、上腕部（３４）と、肘部（３５）と、手掌部（３６）とを有すると共に、前記足部（３０B）は、該腕部（３０A）の各部材とロッド状に一体に成形された大腿部（３１）と、小腿部（３２）と、足掌部（３３）とを有し、それら腕部（３０A）と足部（３０B）は、足掌部（３３）と上腕部（３４）とを切断することにより分離させ、それら各部材の両側から貫通孔（６０）を露出させる。
【００１０】
前記底座（６１）の断面はコ字形を呈し、その上面にマトリクス状に貫通孔（６０）が形成されると共に、底座（６１）の内側中央に固定ロッド（６２）が設けられる。
【００１１】
また、本考案の人型おもちゃの骨組みを組み立てる時は、ハサミやカッターなどで一体に成形されている腕部（３０A）と足部（３０B）とを、足掌部（３３）と上腕部（３４）との接合箇所を切断することにより分離させて、該腕部（３０A）と足部（３０B）の両側において貫通孔（６０）を露出させ、その後、図４に示すように、２本のワイヤ（５０）を各部材の連結、補強支持用として胸部（２１）及び腹部（２２）の両側における貫通孔（６０）から対角状に貫設し、図５に示すように、該胴体部（２０）の腹部（２２）側から突出したワイヤ（５０）に足部（３０B）における大腿部（３１）、小腿部（３２）、足掌部（３３）を順に嵌め込んで組み合わせる。この時、２本のワイヤ（５０）を足掌部（３３）から突出させ、該突出部分を底座（６１）に挿設して底座（６１）上に固定する。
【００１２】
一方、前記胴体（２０）の上腕部（３４）側から突出したワイヤ（５０）に腕部（３０A）における上腕部（３４）、肘部（３５）及び手掌部（３６）を順に嵌め込んで組み合わせる。その後、図６に示すように、スプリング（４０）を胴体部（２０）の上端に設けられた組立てロッド（２４）上に環装する。この時、スプリング（４０）の一端は、組立てロッド（２４）上に環装されたリング部材（２３）に当接されると共に、他端には紙粘土（図示せず）が設けられ、或いはその他の接着剤が塗布され、最後にその上から頭部（１０）を嵌め込んで、図７に示すような骨組みを完成させる。
【００１３】
図８に示すように、本考案では、前記頭部（１０）、胴体部（２０）、腕部（３０A）、足部（３０B）、ワイヤ（５０）及びスプリング（４０）を組み立てた後、該ワイヤ（５０）の可撓性の性質により、足部（３０B）の大腿部（３１）、小腿部（３２）、足掌部（３３）、及び腕部（３０A）の上腕部（３４）、肘部（３５）及び手掌部（３６）を、胴体部（２０）に対して変形させて様々な姿勢とすることができるので、消費者に対して物を作製する楽しさを提供することができる。
【００１４】
また、本実施例では、前記姿勢を完成させた人型おもちゃの骨組みにおける足掌部（３３）から突出するワイヤ（５０）を底座（６１）の貫通孔（６０）に固定した後、更に固定ロッド（６２）上に締め付けることにより、人型おもちゃの骨組みをより強固に底座（６１）上に固定し、そして、紙粘土を該人型おもちゃの骨組み上に貼っていき形を整えて、人型おもちゃを完成させる。更に本実施例によれば、頭部（１０）は既に目、鼻、口、耳を備えているので、それらを紙粘土により正確に且つ容易に形作ることができると共に、表情を自由に表現でき、好みの顔料を用いれば、美しいカラーリングを施すことができる。
【００１５】
図９及び図１０の実施例は、サッカーをしている状態を、人型おもちゃの骨組みにより形作ったものであり、図１１及び図１２の実施例は、女性がダンスをしている状態を、人型おもちゃの骨組みにより形作ったものである。
【００１６】
また、本考案では、必ずしも前記底座（６１）に固定ロッド（６２）を設ける必要はなく、この場合、ワイヤ（５０）を底座（６１）の貫通孔（６０）に通してから結わくことにより、人型おもちゃの骨組みを底座（６１）上に固定してもよい。
【００１７】
また、本考案では、前記頭部（１０）、胴体部（２０）、腕部（３０A）及び足部（３０B）の外側にそれぞれ凸状構造（図示せず）とすることにより、紙粘土の付着力を高めてもよい。
【００１８】
尚、上述した実施形態は単に本考案の一部の形態であり、本明細書に示す主張の範囲内であれば如何なる形態に構成させてもよく、また、容易に想到し得る範囲内であれば、当然本考案の主張範囲に属することは言うまでもない。
【図面の簡単な説明】
【００１９】
【図１Ａ】本考案に係る人型おもちゃの骨組みにおける頭部の正面図である。
【図１Ｂ】本考案に係る人型おもちゃの骨組みにおける頭部の側面図である。
【図１Ｃ】本考案に係る人型おもちゃの骨組みのスプリングの正面図である。
【図２Ａ】本考案に係る人型おもちゃの骨組みにおける胴体部の正面図である。
【図２Ｂ】本考案に係る人型おもちゃの骨組みにおける胴体部の側面図である。
【図３Ａ】本考案に係る人型おもちゃの骨組みにおける腕部及び足部の正面図である。
【図３Ｂ】本考案に係る人型おもちゃの骨組みにおける腕部及び足部の側面図である。
【図４】本考案に係る人型おもちゃの骨組みにおける胴体部にワイヤを貫設させた状態を示す斜視図である。
【図５】本考案に係る人型おもちゃの骨組みにおける胴体部にワイヤを貫設させ、該ワイヤに腕部及び足部を取り付けた状態を示す分解斜視図である。
【図６】本考案に係る人型おもちゃの骨組みにおける胴体部にワイヤを貫設させ、該ワイヤに腕部及び足部を取り付け、更にスプリング及び頭部を示した分解斜視図である。
【図７】本考案に係る人型おもちゃの骨組みにおける胴体部にワイヤを貫設させ、該ワイヤに腕部及び足部を取り付け、更にスプリング及び頭部を示取り付けた状態を示す斜視図である。
【図８】本考案に係る人型おもちゃの骨組みを底座上に取り付けた状態を示す正面断面図である。
【図９】本考案に係る人型おもちゃの骨組みを底座上に取り付けた状態を示す斜視図である。
【図１０】本考案に係る人型おもちゃの骨組みの使用状態を示す斜視図である。
【図１１】本考案に係る人型おもちゃの骨組みを異なる体勢で底座上に取り付けた状態を示す斜視図である。
【図１２】本考案に係る人型おもちゃの骨組みの他の使用状態を示す斜視図である。
【符号の説明】
【００２０】
１０        頭部
２０        胴体部
２１        胸部
２２        腹部
２３        リング部材
２４        組立てロッド
３０A      腕部
３０B      足部
３１        大腿部
３２        小腿部
３３        足掌部
３４        上腕部
３５        肘部
３６        手掌部
４０        スプリング
５０        ワイヤ
６０        貫通孔
６１        底座
６２        固定ロッド
【図１Ａ】
0003126447.tif 000003
【図１Ｂ】
0003126447.tif 000004
【図１Ｃ】
0003126447.tif 000005
【図２Ａ】
0003126447.tif 000006
【図２Ｂ】
0003126447.tif 000007
【図３Ａ】
0003126447.tif 000008
【図３Ｂ】
0003126447.tif 000009
【図４】
0003126447.tif 000010
【図５】
0003126447.tif 000011
【図６】
0003126447.tif 000012
【図７】
0003126447.tif 000013
【図８】
0003126447.tif 000014
【図９】
0003126447.tif 000015
【図１０】
0003126447.tif 000016
【図１１】
0003126447.tif 000017
【図１２】
0003126447.tif 000018